(57)【要約】【課題】  多数の突片を設けた合成樹脂製品の外周面で、突片が形成された部分も含めて広い領域で加飾あるいは表示機能を十分発揮させることを課題としたものであり、よって突片による断熱あるいはすべり防止等の機能を有すると共に、加飾および表示機能が十分発揮される今までにない商品性の高い合成樹脂製品を提供することを目的とする。【解決手段】  合成樹脂製品において、外周面に多数の突片を付設すると共に、外周面の突片間に位置する突片間部分を加飾部分あるいは表示部分とし、多数の突片を含めた所定の領域で、この領域全体として加飾、あるいは表示機能が発揮される構成とする。【選択図】図１
2005280827.tif 000002
【特許請求の範囲】
【請求項１】
外周面(6)に多数の突片(7)を付設すると共に、前記外周面(6)の前記突片(7)間に位置する突片間部分(8)を加飾部分あるいは表示部分として構成した合成樹脂製品。
【請求項２】
外周面(6)の突片(7)を除いた部分を加飾部分あるいは表示部分とし、多数の突片(7)を含めた所定の領域で、該領域全体として加飾、あるいは表示機能が発揮される構成とした請求項１記載の合成樹脂製品。
【請求項３】
突片(7)を薄片の突条状とした請求項１または２記載の合成樹脂製品。
【請求項４】
カップ状容器(1)であって、外周面(6)に多数の突条状の突片(7)を設けた請求項１、２または３記載の合成樹脂製品
【請求項５】
口筒部(4)および該口筒部(4)に螺合するキャップ(5)を有する壜体(3)であって、前記キャップ(5)の外周面(6)に多数の縦突条状の突片(7)を並列設した請求項１、２または３記載の合成樹脂製品。
【請求項６】
ラベル(9)を加飾、あるいは表示手段として用いた請求項１、２、、３、４または５記載の合成樹脂製品。
【発明の詳細な説明】
【技術分野】
【０００１】
本発明は外表面に多数の突片を設けた合成樹脂製品に関する。
【背景技術】
【０００２】
従来より、断熱性、剛性の向上、あるいはすべり防止等を目的に合成樹脂製品の外表面に多数の突片を並設する手法が採用されている。特許文献１はその従来例の一つであり、外周面に多数の突起を付設したカップ状のプラスチック容器についての記載がある。
【特許文献１】特開平６−３２３７９号公報
【０００３】
このような容器では多数の突片のために、模様、絵柄等による加飾、あるいは図案あるいは文字等の表示を容器自体の外周面に施した場合には、凹凸のため加飾性あるいは表示機能がうまく発揮できない。そこで、突片の外側を予め印刷した熱収縮性プラスチックフィルムを熱収縮させて外装したり、複数の突片の上端面に亘ってラベルを接着して貼付する等の手段が採られている。また、突片を製品の外周面の限られた範囲に付設し、突片の付設されていない平坦面領域を加飾したり、表示したりすることもある。
【発明の開示】
【発明が解決しようとする課題】
【０００４】
本発明は、多数の突片を設けた合成樹脂製品の外周面で、突片が形成された部分も含めて広い領域で加飾あるいは表示機能を十分発揮させることを課題としたものであり、もって突片による断熱あるいはすべり防止等の機能を有すると共に、今までにない加飾および表示機能が十分発揮される商品性の高い合成樹脂製品を提供することを目的とする。
【課題を解決するための手段】
【０００５】
上記技術的課題を解決する請求項１記載の発明の手段は、外周面に多数の突片を付設すると共に、この外周面の突片間に位置する突片間部分を加飾部分あるいは表示部分として構成すること、にある。
【０００６】
上記請求項１記載の構成により、合成樹脂製品の外周面部分に突片を多数設けることにより、この外周面部分に凹凸が形成されることになるが、突片間に位置する部分すなわち突片間部分を加飾部分あるいは表示部分とすることにより、加飾および表示は突片を避けて表されるので、元々外周面が平坦面状の領域では模様、絵柄、図案、文字等を歪むことなく、全体として平坦面上に表わすことができる。
【０００７】
請求項２記載の発明の手段は、請求項１記載の発明において、外周面の突片を除いた部分を加飾部分あるいは表示部分とし、多数の突片を含めた所定の領域で、この領域全体として加飾、あるいは表示機能が発揮される構成とすること、にある。
【０００８】
多数の突片も含めた所定の領域では、突片により模様、絵柄、図案、文字等が一部分断されるものの、全体として平坦面上に表されるので、突片の形状、隣接する突片間の距離、あるいは模様、絵柄、図案、文字等の大きさ、配置等を考慮することにより、この領域全体として認識可能な加飾あるいは表示効果を発揮させることができる。
【０００９】
すなわち突片の存在にも係わらず、突片が形成された部分も含めて広い領域で加飾あるいは表示機能を十分発揮させることができ、よって突片による断熱、剛性の向上、あるいはすべり防止等の機能を有すると共に、加飾および表示機能が十分発揮される今までにない商品性の高い合成樹脂製品を提供することが可能となる。
【００１０】
なお、上記所定の領域は使用目的、装飾効果、表示効果等を考慮して決めることができるのであり、合成樹脂製品の外周面の略全域とすることもできるし、たとえば製品の前面部分とすることもできる。
【００１１】
また、本請求項の構成において、突片を除いた部分とは突片間部分を指すが、たとえば、使用目的に応じて容器の胴部の上半分を多数の突片を付設した領域、そして下半分を付設しない領域とする場合には、この付設しない領域も突片を除いた部分に相当する。従って所定領域を突片の付設領域と付設しない領域に亘って設定することもできる。
【００１２】
請求項３記載の発明の手段は、請求項１または２記載の発明において、突片を薄片の突条状とすること、にある。
【００１３】
請求項３記載の上記構成により、模様、絵柄、図案、文字等が突片により分断されてしまうが、突片を薄片の突条状とすることにより、これら模様、絵柄、図案、文字等をより連続性の有するものとして視覚できる。なお、突条の形成方向は特に限定されるものでなく、使用目的、加飾あるいは表示効果等を考慮して、縦方向、横方向、斜め方向とすることもでき、あるいは交差させても良い。
【００１４】
請求項４記載の発明の手段は、請求項１、２または３記載の発明において、カップ状容器で、外周面に多数の突条状の突片を設けること、にある。
【００１５】
請求項４記載の上記構成により、突片により直接容器の外周面に触れないようにすることができ、たとえばホットコーヒー等の熱い飲料を入れて提供することができ、今までにない加飾、あるいは表示効果を有したカップ状容器として提供することができる。また、突片により剛性を高くすることができ、全体として薄肉であっても、手でしっかり掴持可能なカップ状容器を提供できる。
【００１６】
請求項５記載の発明の手段は、請求項１、２または３記載の発明において、口筒部および口筒部に螺合するキャップを有する壜体で、キャップの外周面に多数の縦突条状の突片を並列設すること、にある。
【００１７】
請求項５記載の上記構成により、縦突条状の突片をすべり止めとして、キャップの回動を容易にすることができると共に、今までにない加飾あるいは表示効果が発揮されるキャップを有した壜体を提供することができる。
【００１８】
請求項６記載の発明の手段は、請求項１、２、３、４または５記載の発明において、ラベルを加飾、あるいは表示手段として用いること、にある。
【００１９】
請求項６記載の上記構成により、予め印刷等で加飾、あるいは図案、文字等を表示したラベルを使用して、突片間部分を加飾部分あるいは表示部分としてさまざまな態様の加飾、あるいは表示機能を発揮せしめることができる。
【００２０】
ラベルとしては紙、樹脂フィルム（シート）を基材として裏面に接着層を積層した従来のラベルを使用することができるし、インモールド成形で貼付する場合には成形品と同系統の合成樹脂を使用することにより接着層のない樹脂フィルム（シート）も使用することもできる。また、基材としてアルミラミネートフィルム等を使用すれば金属光沢を成形品外周面に付与することができる。そして、たとえばラベルの突片に対応する位置に切れ目等を入れることにより、ラベルを突片間部分へ貼付することができる。
【発明の効果】
【００２１】
本発明は上記した構成であり、以下に示す効果を奏する。
請求項１記載の発明にあっては、突片を除いた部分すなわち突片間部分を加飾部分あるいは表示部分として構成することにより、加飾および表示が全体として平坦面上に表わすことができ、模様、絵柄、図案、文字等を歪むことなく表わすことができる。
【００２２】
請求項２記載の発明にあっては、突片の存在にも係わらず、多数の突片も含めた広い領域で、加飾および表示機能が十分発揮される今までにない商品性の高い合成樹脂製品を提供することが可能となる。
【００２３】
請求項３記載の発明にあっては、突片を薄片の突条状とすることにより、模様、絵柄、図案、文字等をより連続性の有するものとして視覚できる。
【００２４】
請求項４記載の発明にあっては、たとえばホットコーヒー等の熱い飲料を入れて提供することができ、今までにない加飾、あるいは表示効果を有したカップ状容器として提供することができる。また、突片により剛性を高くすることができ、全体として薄肉であっても、手でしっかり掴持可能なカップ状容器を提供できる。
【００２５】
請求項５記載の発明にあっては、縦突条状の突片をすべり止めとして機能させると共に、今までにない加飾あるいは表示効果が発揮されるキャップを有した壜体を提供することができる。
【００２６】
請求項６記載の発明にあっては、予め印刷等で加飾、あるいは図案、文字等を表示したラベルを使用して、突片間部分を加飾部分あるいは表示部分として、今までにないさまざまな態様の加飾、あるいは表示機能を発揮せしめることができる。
【発明を実施するための最良の形態】
【００２７】
以下本発明の実施の形態を図面を参照して説明する。
図１〜図３は本発明の合成樹脂製品の第１実施例を示すものである。図１は斜視図、図２は正面図、そして図３は胴部２の平断面図である。本実施例は上方に向かって若干拡径した円筒状の胴部２を有する，カップ状容器１であり、胴部２の外周面６には、上端部を少し残した高さ範囲に亘り、縦方向に薄片の縦突条状の突片７が中心軸対称に多数付設されている。
【００２８】
隣接する突片７間に位置する突片間部分８には予め印刷されたフィルム状のラベル９が外周面６に密着した状態で積層されており（図３中の拡大図参照）、カップ状容器１全体で見ると、図案化されたＡ、Ｂ、Ｃの文字を歪むことなく、胴部２の前面の略全領域に亘る、一体的なデザインとしてはっきりと認識することができる。
【００２９】
そしてＡ、Ｂ、Ｃの各文字は突片７で分断されてはいるが、各突片７が薄片であるので、各文字を連続性を有した図案としてはっきりとて認識することができるし、この突片７による図案の分断により従来にない視覚効果を付与している。
【００３０】
本実施例のようなカップ状容器１では、突片７により直接容器の外周面６に触れないようにすることができ、たとえばホットコーヒー等の熱い飲料を入れて使用することができ、今までにない加飾、あるいは表示効果を有したカップ状容器１として提供することができる。また、本実施例のカップ状容器１は突片７により剛性を高くすることができると共に、滑りを防止することができ、全体として薄肉であっても、上記断熱効果と相俟って手でしっかり掴持可能な容器とすることができる。
【００３１】
図４は本発明の合成樹脂製品の第２実施例のカップ状容器１を示す正面図である。胴部２の上部に突片７を付設した例であり、突片７が付設されている領域と突片７の付設されていない領域に亘って広い範囲に図案化された文字Ａを表示したものである。
【００３２】
図５は本発明の合成樹脂製品の第３実施例のカップ状容器１を示す正面図である。突条状の多数の突片７を周状に付設したものである。このように突片７の形成方向は特に限定されるものではなく、さまざまな方向に突片７を形成することにより、さまざまな加飾あるいは表示効果を付与することができる。
【００３３】
ここで、上記第１、第２および第３実施例ではカップ状容器を例に本発明の作用効果を説明したが、本発明の作用効果はカップ状容器に限定されるものでなくさまざまな形態の合成樹脂製品に適用できるものである。たとえば、図６は本発明の合成樹脂製品の第４実施例で、口筒部に螺合するキャップ５を有する壜体３であり、キャップ５の外側周面で本発明の作用効果を発揮せしめた例である。
【００３４】
本実施例では縦突条状に配列設した突片７はキャップ５を回動させる際のすべり止めの機能を発揮する。そして、このキャップ５の外周面６の突片間部分８の所定部分を印刷して、図案化した文字Ｅが複数の突片７を越えて認識できるようにしたものである。
【産業上の利用可能性】
【００３５】
以上説明したように、本発明の合成樹脂製品は、多数の突片が形成された領域も含めて、成形品の所定の範囲に亘って認識される模様、絵柄、図案あるいは文字等を表すことができ、従来にない加飾あるいは表示機能を発揮する製品として、たとえば断熱性を要するカップ状容器等へ、幅広い用途展開が期待できる。
【図面の簡単な説明】
【００３６】
【図１】本発明の合成樹脂品の第１実施例のカップ状容器を示す斜視図である。
【図２】図１の容器の正面図である。
【図３】図１の容器の、図２中のＡ−Ａ線に沿って示す平断面図である。
【図４】本発明の合成樹脂品の第２実施例のカップ状容器を示す正面図である。
【図５】本発明の合成樹脂品の第３実施例のカップ状容器を示す正面図である。
【図６】本発明の合成樹脂品の第４実施例の壜体を示す正面図である。
【符号の説明】
【００３７】
１  ；カップ状容器
２  ；胴部
３  ；壜体
５  ；キャップ
６  ；外周面
７  ；突片
８  ；突片間部分
９  ；ラベル
【図１】
2005280827.tif 000003
【図２】
2005280827.tif 000004
【図３】
2005280827.tif 000005
【図４】
2005280827.tif 000006
【図５】
2005280827.tif 000007
【図６】
2005280827.tif 000008